(57)【特許請求の範囲】
【請求項１】
電子写真システムの光受容体の電場を感知する変調器アセンブリを有する静電電圧計であって、
前記変調器アセンブリは、
変調器ベースと、
前記変調器ベースの前面に設けられ、感知穴を介して光受容体の電場と容量結合することにより当該電場の大きさに対応する信号を発生させるセンサ電極と、
前記変調器ベースに設けられ、長手方向の一端に磁力が印加されると振動する振動ビームと、
前記振動ビームの長手方向の他端に設けられ、前記振動ビームの振動に伴って、前記感知穴を横切るように振動することにより、前記センサ電極と前記電場の容量の結合および分断を繰り返すチョッパと、
を備え、
前記変調器ベースの前面に対向する裏面に設けられた突起領域が、静電電圧計を電子写真システム内に載置するための載置フレームに設けられた整合溝を通ることにより、電子写真システムの光受容体に対する前記センサ電極の位置が決定される、
ことを特徴とする静電電圧計。
【請求項２】
請求項１に記載の静電電圧計において、
前記変調器ベースの底面に設けられた少なくとも一つの突起が、静電電圧計の基板アセンブリに設けられた対応する穴にはまり、前記変調器アセンブリが基板アセンブリ上に整合して配置される、
ことを特徴とする静電電圧計。
【請求項３】
磁石とコアを含む、前記振動ビームの一端に磁力を印加するための前記変調器ベース内の磁気ドライブと、
前記センサ電極と前記磁気ドライブの前記磁石とコアに対し所定の向きで前記ビームを配置するための、前記変調器ベース内の一対のビーム載置面と、
をさらに備える、請求項１記載の変調器アセンブリを有する静電電圧計。
【発明の詳細な説明】
【０００１】
【発明の属する技術分野】
この発明は、電子写真プロセスにおいて使用するための静電電圧計用の変調器アセンブリの変調器ベース（ｍｏｄｕｌａｔｏｒ  ｂａｓｅ）に関する。より詳細には改良変調器アセンブリおよび静電電圧計を構築するために所定の構成を有する変調器ベースに関する。
【０００２】
【従来の技術】
電子写真システムにおける現在の静電電圧計変調器アセンブリに関する１つの問題は、静電場を信頼度高く、正確に感知するために変調器および変調器アセンブリを正確に細工し組み立てる必要があることである。その結果、変調器アセンブリの製造組立て費用は高くなる傾向があり、静電電圧計の性能および信頼性は変調器アセンブリのパラメータが製造組立て中にどの程度良く制御されるかに基づいて変動する。そのため、組立てが簡単で、製造コストが低く、静電電圧計の性能およびロバスト機能性（ｒｏｂｕｓｔ  ｆｕｎｃｔｉｏｎａｌｉｔｙ）を改善する構成を有する静電電圧計変調器アセンブリ用の変調器ベースを提供することが望ましい。
【０００３】
【発明が解決しようとする課題】
そのため、この発明の目的は、前述した型の難点を除去し、あるいは最小に押さえる改良静電電圧計を提供することである。
【０００４】
【課題を解決するための手段】
本発明にかかる、電子写真システムの電場を変調すると共に感知するための変調器アセンブリを有する静電電圧計は、前記静電電圧計内に前記変調器アセンブリを載置するための変調器アセンブリの変調器ベースと、前記ベース内に配置され、一端に振動磁場が印加されると振動することにより電場を変調するための振動ビームと、前記振動ビームにより変調された電場を感知するためのセンサ電極と、電子写真システムの電場に対し前記変調器アセンブリを配向し整合させるための、前記変調器ベース上の少なくとも１つの基準載置面とを備える。
【０００５】
【発明の実施の形態】
図１は１色電子写真システム１０の簡略化した概略図である。この図において、光受容体１２は光導電性外表面１４を有する連続ベルトとして示されている。図１の例では光受容体ベルトが示されているが、導電性外表面を有するドラムなどの他の光受容体１２の実施の形態を使用してもよい。光受容体１２はモーター１８により矢印１６で示された方向に駆動され、光導電性表面１４は連続ループイメージングプロセス中にさまざまな処理ステーションを通過する。
【０００６】
光受容体荷電ステーション３０を、光受容体１２の光導電性表面１４に隣接する位置に示す。高圧静電荷が電源３２およびコロナ発生装置３４により光需要体１２に印加される。イメージ形成または露光ステーション４０はコロナ装置３４の下流に設けられ、光受容体表面１４上に潜像を形成するように動作することができる。オリジナル書類４４が透明な圧盤４６上に配置される。１以上の光源４２がオリジナル書類４４上に光を当て、その光は反射されレンズ４８を通って光受容体表面１４上に達する。光がオリジナルのコピー場領域から光受容体表面１４上に強く反射されると、オリジナル原稿４４の潜像に対応する光受容体表面１４上の電荷のみを残して光受容体上の電荷が消散する。その代わりに、レーザラスター出力スキャナを使用してもよく、あるいは発光ダイオード素子を使用して入力電子流からイメージを作成することができる。
【０００７】
イメージ現像ステーション５０をイメージ形成ステーションの下流に設け、潜像上に荷電トナー粒子を付着させることにより光受容体表面１４上に形成された潜像を現像する。トナー潜像を光受容体表面１４から、装置６４により送られる普通紙コピーシート６２に転写するためにイメージ転写ステーション６０を設ける。転写ステーション６０は光受容体表面１４からトナーイメージを引き付けるために１枚の紙の裏側にイオンを噴霧するためのコロナ発生装置６６を有する。イメージ固定または溶融定着ステーション７０を設ける。トナーイメージを有するシートがローラー６９により光受容体１２から分離され矢印６８の方向に、溶融定着ステーション７０まで移動される。そこでは、溶融定着アセンブリ（図示せず）がトナーイメージを加熱し、溶融定着し、コピーシートに永久的に付着させ、オリジナル書類の永久保存用コピーが形成される。完了したコピーはトレー７４に置かれる。光受容体１２の表面を清浄にするために、ブラシ８２などを備えた回復または洗浄ステーション８０を設ける。洗浄ステーション８０では、残存トナー粒子が除去され、光（図示せず）が光受容体１２上に発せられ残留静電荷が消散する。
【０００８】
光静電イメージングプロセス中、小さな試験イメージがオリジナル文書の全ページ潜像間に断続的に光受容体ベルト１２上に置かれ、光受容体ベルト上の静電場は、図１に示されるように、イメージ形成ステーション４０の下流に配置された静電電圧計変調器アセンブリ１００によりモニタされ変調されてもよい。
【０００９】
図２および３は本発明の好ましい実施の形態にかかる特定用途向け集積回路静電電圧計アセンブリ１００と変調器アセンブリ２００の分解組立て図を示す。図２について説明する。静電電圧計アセンブリ１００は、プラスチックなどの適した材料から形成されたカバー１０２と、プリントワイヤ基板アセンブリ（以後、簡単に「基板アセンブリ」とよぶ）１０４と、絶縁層１０６とを含む。絶縁層１０６は電気的に基板アセンブリ１０４を、鋼シートなどの強度の高い剛性材料から構成されたベース１０８から隔離する。留め具１１０（ａ−ｃ）がカバー１０２中の穴１１２（ａ−ｃ）を通って延在しベース１０８のレセプタクル１１４（ａ−ｃ）と結び付き、静電電圧計アセンブリ１００の様々な部分を結合させる。カバー１０２は静電気防止部材１１６を有し、これは変調器アセンブリ２００の穴開きプレート２０２の後に配置されると好都合である。図５も参照のこと。図５では、以下でさらに詳細に説明するように、矢印３００により示された空気パージ経路を有するカバー１０２の内面が示されている。
【００１０】
図２に示されるように、変調器アセンブリ２００は基板アセンブリ１０４上に配置される。紙の基板絶縁体１１８が変調器アセンブリ２００の上面を被覆する。図２に概略が示されている様々な電子部品１２０（ａ−ｈ）もまた、基板アセンブリ１０４上に配置される。電子部品１２０から放熱させる必要があるあるいは放熱させるのが望ましい場合、１以上のヒートシンク部材１２２が備えられる。基板アセンブリ１０４と空気バッフル１２６との間のギャップを密封するために、好ましくは静電気防止発泡プラスチック製のエアシール１２４が基板アセンブリ１０４上に配置される。空気バッフル１２６はカバー１０２の内面から下方に突出している（図５に注目）。図１１も参照のこと。この図では、以下で説明するように、変調器アセンブリ２００とフロントプレート２０２を備えた基板アセンブリ１０４の底面が示されている。
【００１１】
基板アセンブリ１０４から放熱する必要があるまたは放熱するのが望ましいので、絶縁層１０６上にヒートシンクガスケット１２８（ａ−ｂ）が備えられる。ベース１０８は留め具１３４と協調するように円筒形突起１３０を有する。突起は絶縁層１０６内の穴１３２を通って延在する。突起１３０および留め具１３４はベース１０８上で変調器アセンブリ２００を支持する。カバー１０２上の静電気防止部材１１６に対応して、静電気防止部材１３６がベース１０８上に、変調器アセンブリ２００のフロントプレート２０２の後に位置するように備えられる。静電気防止部材１１６および１３６は適した静電気防止プラスチック材料で構成される。図１２を参照のこと。この図では、変調器アセンブリ２００が備えられたベース１０８の底面が示されている。図１２ついては以下でより詳細に説明する。
【００１２】
変調器アセンブリ２００をパージするのに使用された空気が、以下でさらに詳細に説明するように、出て行くことができるように、ベース１０８の垂直壁を通過する空気パージ出口１３８を設ける（図１２に注目）。整合溝１４０をベース１０８の垂直壁に設け、変調器アセンブリ２００を配置、整合させ、変調器アセンブリ２００を光受容体表面１４に対し正確に配向させることができる。留め具１４２（ａ−ｂ）は変調器アセンブリ２００の裏面をベース１０８の垂直部分に取り付ける。静電電圧計アセンブリ１００を電子写真システム１０内に載置するために載置フレーム１４４が電子写真システム１０内に備えられ、そのため、変調器アセンブリは光受容体表面１４に対し正確に配置、配向される（図１４を参照のこと）。
【００１３】
図３について説明する。変調器アセンブリ２００は、留め具２０６（ａ−ｂ）により変調器ベース２０４に取り付けられたフロントプレート２０２を有する。留め具２０６（ａ−ｂ）は変調器ベース２０４内に設けられた穴２０６（ｃ−ｄ）を通ってはまる。好都合なことに、留め具２０６（ａ−ｂ）は先が細くなったヘッドを有するネジを含み、変調器ベース２０４内の穴２０６（ｃ−ｄ）は対応する円錐を有し、そのため、ネジが穴内で締められると、フロントプレート２０２はセンサ電極２１０に対し中心に配置される。その代わりに、ねじをピンで置き換えても良く、このピンはフロントプレート２０２の穴内にぴったりとはまる。ピンと対応する穴により、フロントプレート２０２とフロントプレート２０２中の感知穴２１２がセンサ電極２１０に対し配向、整合される。フロントプレートは、例えば、ピンにはんだを適用することにより変調器ベース２０４に取り付けても良い。
【００１４】
アセンブリ２００は変調器２０８とセンサ電極２１０（図４を参照のこと）を含む。ベース２０４は表面陰影付けにより概略が示されている絶縁部分２１１（ａ−ｉ）と、シールド領域２１３（ａ−ｄ）を有する。これもまた、図６から１０、１３、１５および１６を参照のこと。これらの図面はシールド領域と絶縁部分を備える変調器ベース２０４の異なる図面を示している。
【００１５】
図６について説明する。本発明の好ましい実施の形態では、変調器ベース２０４の寸法は正確に制御または規定され、そのため、変調器アセンブリ２００、変調器ベース２０４に取り付けられたフロントプレート２０２の、光受容体表面１４に対する配向および整合を正確に制御することができる。言い換えると、変調器ベース２０４の寸法を正確に維持することにより、フロントプレート２０２とフロントプレート２０２内に備えられた感知穴２１２の位置関係を、光受容体表面１４の静電場に対して正確に決定することができる。本発明の好ましい実施の形態によれば、変調器ベース２０４は正確に鋳造されたプラスチック部品であり、これは「ツーショット（ｔｗｏ−ｓｈｏｔ）」鋳造技術により鋳造され、そのため鋳造プラスチックベース上で、分離された導電性／はんだ付け可能な領域と非導電性領域とを正確に規定することができる。
【００１６】
好都合なことに、フロントシールド領域２１３ａはフローティングシールドである（図７および８を参照のこと）。シールド領域２１３ａは変調器ベース２０４の上面から変調器ベース２０４の側面および前面を介して、底面まで（図６から１０、１３、１５および１６を参照のこと）延在し、基板アセンブリ１０４上のセンサ電極２１０および感応入力回路、例えばＭＯＳＦＥＴをシールドする。フローティングシールド領域２１３ａはセンサ電極シールド２１３ｅを含む。好都合なことに、シールド領域２１３ａは変調器ベース２０４の底面上の空洞または凹部２１３ｆを含む（図７および１５に注目）。これにより、基板アセンブリ１０４、特に基板アセンブリ１０４の感応入力回路がシールドされる。言い換えると、空洞２１３ｆは基板アセンブリ１０４上でのシールドと共同して、感応入力回路を効果的にかつ有益にシールドする。
【００１７】
後シールド領域２１３ｂは接地（ｇｒｏｕｎｄｅｄ）シールドであり（図６から９、１３、１５および１６を参照のこと）、変調器２０４の上面から、変調器ベース２０４の側面および後を通って、底面まで延在し、変調器ベースの接地駆動領域を提供する。シールド領域２１３ｂは変調器ベース２０４の底面の凹部または空洞２１３ｇを含み（図７および１５に注目）、これにより、静電電圧計アセンブリ１００が組立てられた時（図２に注目）に変調器ベース２０４のすぐ下に配置される基板アセンブリ１０４上の駆動回路およびケーブルトレースがシールドされる。フローティングシールド領域２１３ａと接地シールド領域２１３ｂとの間に、フローティング回路と接地回路との間の結合を最小に抑えるのに十分なサイズのエアギャップ２０９が備えられる（図６、８、９、１３および１６を参照のこと）。さらに、変調器ベース２０４の上面から、変調器ベース２０４の側面を通って底面まで延在する絶縁部２１１ａ（図６から９、１３、１５および１６を参照のこと）により、フローティング感知領域２１３ａと接地駆動領域２１３ｂとの間の絶縁が提供される。絶縁領域２１１ｂおよび２１１ｅ（再び図６から９、１３、１５および１６に注目）は静電電圧計アセンブリベース１０８に対する基準載置面として機能する（図２を参照のこと）。言い換えると、絶縁領域２１１ｂおよび２１１ｅの終端面はベース１０８の垂直部分と隣接し（図２に注目）、変調器アセンブリ２００が留め具１４２（ａ−ｂ）によりそこに固定される。留め具は変調器ベース２０４内に配置された穴１４２（ｃ−ｄ）にはまる（図９、１１、１２に注目）。
【００１８】
絶縁領域２１１ｃの後端（図６から９、１１から１６を参照のこと）は変調器アセンブリ２００の較正および載置／設置のための基準面である。この場合、絶縁領域２１１ｃの端がベース１０８の垂直壁内の整合溝１４０に配置され（図２および１２に注目）、載置フレーム１４４に隣接し（図１４に注目）、そのためフロントプレート２０２中の感知穴２１２とセンサ電極２１０が光受容体表面１４に対し正確に配置される。図１４は変調器ベース２０４と、静電電圧計支持プレートにより支持された載置フレーム１４４の概略図である。この図において、明確にするために静電電圧計アセンブリの他の部品は省略する。言い換えると、載置フレーム１４４および絶縁領域２１１ｃの寸法および位置を正確に維持することにより、絶縁領域２１１ｃが整合溝１４０を通して載置フレーム１４４に隣接すると、光受容体表面１４に対する変調器アセンブリ２００の前面の位置および配向が正確に決定される。したがって、絶縁領域２１１ｃの端により提供される基準面により、変調器アセンブリ２００の較正および載置／設置が容易になる。
【００１９】
変調器ベース２０４の前端と反対の端の絶縁領域２１１ｇおよび２１１ｉ（図６から１０、１３、１６を参照のこと）は、変調器アセンブリ２００のセンサ電極シールド２１３ｅとフロントプレート２０２との間の絶縁を提供する。
【００２０】
図７について説明する。変調器ベース２０４は、適した留め具２２１（ｅ−ｈ）（図１１を参照のこと）により基板アセンブリ１０４上に変調器アセンブリ２００を載置するための穴２２１（ａ−ｄ）を有する。突起２２３（ａ−ｂ）が、変調器ベース２０４の底面上に、その１つの縁に沿って配置され、変調器アセンブリ２００が基板アセンブリ１０４上に整合される（これもまた図１１を参照のこと）。この場合、突起２２３（ａ−ｂ）は基板アセンブリ１０４内の対応する穴にはまり、これにより、変調器アセンブリ２００が基板アセンブリ１０４上に正確に整合して配置される。さらに、突起２２３（ａ−ｂ）は基板アセンブリ１０４上での変調器アセンブリ２００の組み立てを簡単にする。というのは、突起２２３（ａ−ｂ）が基板アセンブリ１０４内の対応する穴にはまると共に留め具２２１（ｅ−ｈ）が簡単に穴２２１（ａ−ｄ）にはまることにより、変調器アセンブリ２００が基板アセンブリ１０４上に正確に配置され保持されるからである。
【００２１】
円筒形突起２１１ｆ（図７に注目）が、絶縁部２１１ａと一体形成されて、変調器ベース２０４の底面上に設けられ、さらに、変調器アセンブリ２００が静電電圧計アセンブリ１００のベース１０８上に整合、配置される。この場合、絶縁領域２１１ｂおよび２１１ｅの終端面により基準載置面が提供される上に、ベース１０８上の円筒形突起１３０（図２を参照のこと）が変調器ベース２０４の底面上の突起２１１ｆと協同して、静電電圧計アセンブリベース１０８に対し変調器アセンブリ２００を整合配置させる。これもまた図１１を参照のこと。この図では、変調器ベース２０４の突起２１１ｆが基板アセンブリ１０４内の穴を通って延在している。
【００２２】
センサ電極２１０はベース２０４の外部の静電場との容量結合に適した周知のセンサ要素としてもよい。この場合、感知穴２１２がベース２０４のフロントプレート２０２内に備えられ、容量結合の感知が可能となる（図３に注目）。感知穴２１２はセンサ電極２１０の位置のすぐ前の位置に配置される。センサ電極２１０は外部静電場の大きさに対応する信号を発生させ、この信号は導電ストリップ２１５（図１５を参照のこと）を介して、外部電圧計（図示せず）に伝送される。図７はセンサ電極２１０を導電ストリップ２１５と接続させるための金属パッド２１５ａを示す。導電ストリップ２１５はフジポリ（Ｆｕｊｉｐｏｌｙ）「ゼブラストリップ（Ｚｅｂｒａ  Ｓｔｒｉｐ）」型コネクタであってもよい。
【００２３】
図３にもどる。変調器２０８は振動ビーム２１４を含む。振動ビームは、留め具２１７（ａ−ｂ）によりベース２０４内にビーム２１４をしっかり載置するためにそのビーム２１４の中心点に載置支持体２１６（ａ−ｂ）を有する。留め具２１７（ａ−ｂ）は変調器ベース２０４内に設けられた穴２１７（ｃ−ｄ）にはまる（図６、８、９、１３および１６を参照のこと）。
好都合なことに、ビーム載置穴２１７（ａ−ｄ）は平面２１７（ｅ−ｆ）内に位置し、その平面は変調器ベース２０４上の一段高い平面として構成され、変調器ベース２０４内にビーム２１４を載置するための基準載置面を提供する。言い換えると、ビーム載置面２１７（ｅ−ｆ）の上平面は、ビーム載置留め具２１７（ａ−ｂ）をビーム載置穴２１７（ｃ−ｄ）にはめることによりビーム２１４を載置面２１７（ｅ−ｆ）上に載置すると、ビーム２１４がセンサ電極２１０および磁気ドライバ２２６に対し正確に配置されるように、正確に構成される。
【００２４】
振動ビーム２１４は長手方向のアーム要素２１８と、接続部または腹部２１９（ａ−ｂ）を含み、接続部または腹部はアーム要素２１８と載置支持体２１６（ａ−ｂ）との間に存在し、載置支持体２１６（ａ−ｂ）をアーム要素２１８に結合させる。アーム要素２１８はその一端に静電圧を中断させるための装置またはチョッパ２２０を有し、他端に磁気経路を閉じる磁気的に影響されやすい材料、例えば鉄製の釣り合いおもりストリップまたはスラッグ２２２（以後、単に「釣り合いおもり」と呼ぶ）を有する。チョッパ２２０を前フローティングシールド領域２１３ａと電気的に接続するためにカーボンファイバワイヤ２２４が備えられる。
【００２５】
コイル穴２２７（図６、８、９、１３および１６に注目）に配置された磁気コイル２２６および永久磁石２２８（図１３に注目）は釣り合いおもり２２２を備えるアーム要素２１８の一端の振動ビーム２１４下に配置される。基準面２３９（ａ−ｂ）がコイル穴２２７の反対の端に設けられ、振動ビームアーム２１８に対し磁石２２８とフェライトコア２３２を配置するためのガイドを提供する。この場合、磁石２２８の上面とアーム要素２１８間、およびフェライトコア２３２の極片とアーム要素２１８間のギャップは、アーム要素２１８に対する代用物を基準面２３９（ａ−ｂ）上に配置しコイル穴２２７を橋絡させる（図１３において想像線により示す）ことにより正確でなければならいので、磁石２２８とフェライトコア２３２の上面位置は代用ビームに対して調整され、これにより、振動ビーム２１４が変調器ベース２０４内に載置されると、磁石２２８、フェライトコア２３２とアーム要素２１８間に正確なギャップが存在する。言い換えると、基準面２３９（ａ−ｂ）の構成および寸法は磁石２２８およびフェライトコア２３２の望ましい上面位置に対し正確に規定され、そのため、変調器２００が組み立てられると、磁石２２８とアーム要素２１８間およびフェライトコア２３２の極片とアーム要素２１８間で望ましいギャップが得られる。
【００２６】
コイル接続２３０は磁気コイル２２６から変調器ベース２０４の底面まで延在し（図７および１５を参照のこと）、磁気コイル２２６を接続ストリップ２１７（図１５に注目）と、金属接続パッド２１５ａ（図７に注目）により接続する。磁気コイル２２６は磁気ドライバとして動作し、磁石２２８から釣り合いおもり２２２まで、フェライトコア２３２を通って磁石２２８に戻る磁気経路を介して釣り合いおもり２２２に印加された磁力により、振動ビーム２１４を駆動し振動させる。溝または空洞２３３が変調器ベース２０４に備えられ、フェライトコア２３２が保持される（図６から８、１３、１５および１６に注目）。この場合、振動は振動ビーム２１４のアーム要素２１８および腹部２１９（ａ−ｂ）で生じ、腹部２１９（ａ−ｂ）の振動は振動ビーム２１４の中心に向かって増大し、一方、振動ビーム２１４の載置支持体２１６（ａ−ｂ）では振動は発生せず、その支持体は留め具２１７（ａ−ｂ）により変調器ベース２０４にしっかりと取り付けられている。釣り合いおもり２２２はアーム要素の他端のチョッパ２２０と釣り合いをとり、アーム２１８上に配置され、フェライトコア２３２の磁束を最大とする。アーム要素２１８が磁気コイル２２６により振動するように誘起されると、チョッパ２２０は図３および４において矢印２３４で示される方向に振動する。振動中、センサ電極２１０は、チョッパ２２０がフロントプレート２０２内の感知穴２１２を通過するのに伴い、外部静電場との結合および分断を繰り返す。特に、アーム要素２１８がフェライトコア２３２の磁束の影響により振動すると、その振動によりチョッパ２２０が感知穴２１２を横切るように上下に振動し、センサ電極２１０が感知穴２１２を通して光受容体ベルト１４上の外部静電場と結合、分断する。
【００２７】
したがって、アーム要素２１８の振動は、振動要素２０８のための磁気ドライバとして機能する磁気コイル２２６により印加された力により得られる。ビーム２１４の腹部２１９（ａ−ｂ）の１つに都合良く配置されたフィードバッククリスタルまたは圧電ピックアップ２３６（図３を参照のこと）は、振動を感知し、フィードバック制御回路（図示せず）へのフィードバック信号を発生させる。この場合、磁気コイル２２６に供給される駆動信号は調節され、アーム要素２１８の振動の振動数およびモードを制御することができる。フィードバッククリスタル２３６のフィードバック信号は２４０ではんだ付けされたリッツ線接続２３８により出力され（図３に注目）、そこから、フィードバック信号はベース２０４の底面の接続パッド２１５ａ（図７を参照のこと）に送られ、フジポリ「ゼブラストリップ」型コネクタなどの接続ストリップ２１７（図１５に注目）との接続が得られる。変調器ベース２０４を通って延在する「Ｌ」字型カットまたはギャップ２４１（図６から９、１３、１５および１６に注目）が、接続ストリップ２１７と接続する貫通ワイヤをシールドするために、特に、リッツ線接続２３８用のフィードスルー（ｆｅｅｄ−ｔｈｒｏｕｇｈ）２４０をシールドするためにフィードスルー２４０に隣接して設けられる。
【００２８】
前述したように、チョッパ２２０は感知穴２１２を横切るように上下に振動する。チョッパ２２０の下端は、チョッパの静止位置で感知電極２２０上の本質的に中心にある（チョッパ２２０の位置を示す図１０の想像線を参照のこと）ことが重要である。チョッパ２２０とセンサ電極２１０との間のこの位置関係はビーム組立て固定具を用いて振動ビーム２１４を組立てることにより達成される。これにより変調器ベース２０４の正確に制御された構成が模倣され、あるいは再現される。特に、振動ビーム２１４が振動ビーム組立て固定具を用いて組立てられた後、振動ビーム２１４に対する様々な基準載置面を、変調器ベース２０４内に載置することができる。振動ビーム２１４の様々な部材、例えばチョッパ２２０およびアーム要素２１８は望ましい様式で対応する要素に対して配向および整合される。この場合、望ましい様式とは、振動ビーム２１４の組立ておよびその後の変調器ベース２０４内への載置を容易かつ正確にする変調器ベース２０４の構成および組み込まれた設計特徴である。
【００２９】
チョッパ２２０は、図４に概略が示されているように、チョッパ２２０とアーム要素２１８との間の紫外線「ＵＶ」エポキシのフィレットによりビームアーム要素２１８に取り付けられる。
【００３０】
空気パージ溝２４２（ａ−ｂ）（図１０に注目）がベース２０４の前面を横切るように配置され、空気の流れをセンサ電極２１０を横切って送ることが可能である。この空気の流れを感知穴２１２およびセンサ電極２１０の周囲に存在させることが可能であり、変調器２０８およびセンサ電極２１０からトナー粒子および他の汚染物質をパージすることができる。本発明によれば、ベーンまたはプレート要素２４４がチョッパ２２０に隣接するアーム要素２１８に接続され、溝２４２（ａ−ｂ）を通過する空気の流れのパージ効果が向上する。好ましい実施の形態では、ベーン２４４はチョッパ２２０を後方に延在させ一体型ベーン２４４を形成させることにより得られ、これは垂直に配置されたチョッパ２２０に対し概して水平でありチョッパ２２０と共に「Ｌ」字構造を形成する。アーム要素２１８およびベーン２４４の迅速な振動により空気が攪拌されてチャネル２４２ａおよび２４２ｂを通りチョッパ２２０を通過し、そのため、変調器２０８およびセンサ電極２１０はアーム要素２１８が振動するとベーン２４４の往復運動によりくずを自己パージする。
【００３１】
図５はカバー１０２の内面を示したものであり、空気パージ経路が矢印３００で示されている。空気入口３０２が設けられ、空気がホースまたはパイプ（図示せず）から、例えば、カバー１０２内のチャネル３０４に送られる。チャネル３０４は空気を空気経路に沿って導き、そのため空気は変調器ベース２０４の空気パージ溝２４２ａおよび２４２ｂを通り、感知穴２１２を横切り、センサ電極２１０の前を通る。空気は静電電圧計アセンブリベース１０８内の（図２および図１２に示される）空気パージ出口１３８から流れ出る。空気を空気パージ出口１３８まで導くためにバッフル１２６が備えられる。
【００３２】
ベーン２４４は高振動数で上下に振動するので、ベーン２４４の動きにより変調器２０８およびセンサ電極２１０の付近で好都合な乱れや空気の流れが発生し、これにより、より効果的に変調器アセンブリ２００からトナー粒子や他の汚染物質がパージされることが決定されている。ベーン２４４の振動により発生する自己増強型の乱れによりパージ溝２４２（ａ−ｂ）から流れる空気のパージ効果が向上および改善され、電子写真プロセスにおけるドリフト誤差が排除される、あるいは最小に抑えられる。振動アーム要素２１８に取り付けられたチョッパ２２０を延在させベーン２４４を形成させることにより、静電電圧計からのトナーや他の汚染物質の除去が改善される。
【００３３】
アーム要素２１８上のベーン２４４の位置は上記好都合な空気の乱れまたは流れを提供するどの位置でもよいが、ベーン２４４をアーム要素２１８の終端に配置しチョッパ２２０に隣接させる、あるいは好ましい実施の形態では、チョッパ２２０と一体形成することにより、より好都合な結果が得られる。この場合、アーム要素２１８の端にベーン２４４を配置することにより、センサ電極２１０に対しより有益な静電シールド効果が得られる。より詳細には、センサ電極２１０上方に直接ベーン２４４を配置すると、アーム要素２１８の動きにより発生する信号からセンサ電極２１０がシールドされる。そうでなければ、センサ電極２１０による感知においてエラーが発生する傾向がある。
【図面の簡単な説明】
【図１】  本発明にかかる光受容体ベルトと静電電圧計を備える例示的な電子写真装置の概略図である。
【図２】  本発明の好ましい実施の形態にかかる変調器アセンブリを備える特定用途向け集積回路静電電圧計アセンブリの分解組立て斜視図である。
【図３】  本発明の好ましい実施の形態にかかる単一平衡ビーム振動要素を備えた図２の変調器アセンブリの拡大斜視図である。
【図４】  図３の線４−４についての変調器アセンブリの全断面図である。
【図５】  空気パージ経路を示す図２の静電電圧計アセンブリのカバーの内面の斜視図である。
【図６】  本発明の好ましい実施の形態にかかる変調器アセンブリベースの拡大上面斜視図である。
【図７】  図６に示した変調器アセンブリベースの底面の拡大斜視図である。
【図８】  図６に示した変調器アセンブリベースの前面の拡大斜視図である。
【図９】  図６の変調器アセンブリベースの裏面の拡大斜視図である。
【図１０】  図６に示された変調器アセンブリベースの前面の他の拡大斜視図である。
【図１１】  本発明の好ましい実施の形態にかかる変調器アセンブリを備える図２に示した特定用途向け集積回路静電電圧計アセンブリのプリントワイヤ基板アセンブリの底面の一部の拡大斜視図である。
【図１２】  本発明の好ましい実施の形態にかかる変調器アセンブリを備える図２の特定用途向け集積回路静電電圧計アセンブリのベースの底面の一部の拡大斜視図である。
【図１３】  本発明の好ましい実施の形態にかかる磁気ドライバの磁石およびフェライトコアを備える図６に示した変調器アセンブリベースの上面の他の拡大斜視図である。
【図１４】  本発明の好ましい実施の形態にかかる電子写真装置において変調器アセンブリを載置するための載置フレームを備える図６に示した変調器アセンブリベースの上面の他の拡大斜視図である。
【図１５】  変調器アセンブリをプリントワイヤ基板アセンブリと電気的に接続するための接続ストリップを備える図６に示した変調器アセンブリベースの底面の他の拡大斜視図である。
【図１６】  異なる向きから見た、図６に示した変調器アセンブリベースの上面の他の拡大斜視図である。
【符号の説明】
１２  光受容体、１４  光導電性外表面、１６  矢印、１８  モーター、３０光受容体荷電ステーション、３２  電源、３４  コロナ発生装置、４０  イメージ形成または露光ステーション、４２  光源、４４  書類、４６  透明な圧盤、４８  レンズ、５０  イメージ現像ステーション、６０  イメージ転写ステーション、６２  コピーシート、６４  装置、６６  コロナ発生装置、６８  矢印、６９  ローラー、７０  イメージ固定または溶融定着ステーション、７４  トレー、８０  洗浄ステーション、８２  ブラシ、１００  静電電圧計変調器アセンブリ、１０２  カバー、１０４  基板アセンブリ、１０６  絶縁層、１０８  ベース、１１０  留め具、１１２  カバー中の穴、１１４  ベースのレセプタクル、１１６  静電気防止部材、１１８  基板絶縁体、１２０  電子部品、１２２ヒートシンク部材、１２４  エアシール、１２６  空気バッフル、１３０  円筒形突起、１３２  絶縁層内の穴、１３４  留め具、１３６  静電気防止部材、１３８  空気パージ出口、１４０  整合溝、１４２  留め具、１４４  載置フレーム、２００  変調器アセンブリ、２０２  穴開きプレート、２０４  変調器ベース、２０６  留め具、２０９  エアギャップ、２１０  センサ電極、２１１  絶縁部分、２１２  感知穴、２１３  シールド領域、２１４  振動ビーム、２１５  導電ストリップ、２１６  載置支持体、２１７  接続ストリップ、２１８  アーム要素、２２０  チョッパ、２２１  留め具、２２２  釣り合いおもり、２２３  突起、２２６  磁気コイル、２２７  コイル穴、２２８  永久磁石、２３０  コイル接続、２３２  フェライトコア、２３３  空洞、２３４  矢印、２３６  圧電ピックアップ、２３８  リッツ線接続、２４０  フィードスルー、２４４  プレート要素、３００  矢印、３０２  空気入口、３０４  チャネル。
【図１】
0004051205.tif 000002
【図２】
0004051205.tif 000003
【図３】
0004051205.tif 000004
【図４】
0004051205.tif 000005
【図５】
0004051205.tif 000006
【図６】
0004051205.tif 000007
【図７】
0004051205.tif 000008
【図８】
0004051205.tif 000009
【図９】
0004051205.tif 000010
【図１０】
0004051205.tif 000011
【図１１】
0004051205.tif 000012
【図１２】
0004051205.tif 000013
【図１３】
0004051205.tif 000014
【図１４】
0004051205.tif 000015
【図１５】
0004051205.tif 000016
【図１６】
0004051205.tif 000017